Podtech/llm-jp-corpus-v4-ja_patent huggingface dataset:
(57)【特許請求の範囲】
【請求項１】
柄部を含む全体が透明性に成る器体の杓子部において、中央部分を透明にし、それより周縁部に至る上側部分を非透明にし、前記透明中央部分と非透明上側部分との境界が全体量の２分の１を示す仮想目盛線に成り、このように成る杓子部に一体に設けた柄部の一側縁部には長さ目盛を設け、基端部を前記杓子部の一側周面部の底面部近くから上面部まで一体に結合して設けて成ることを特徴とする計量スプーン。
【発明の詳細な説明】
【技術分野】
【０００１】
本発明は、計量スプーンに関するものである。
【背景技術】
【０００２】
料理時に使用する計量スプーンは、計量カップが比較的多量に使用する小麦粉，砂糖，油，水などの分量を計るときに使用するのに対し、比較的少量の各種調味料の分量を計るときに使用するものである。
【０００３】
しかし、実際に料理を作る者の立場に立って、迅速に少量の各種の調味料を視認によって確実に計ることができるスプーンは従来存しなかったし、次に例示するものは全く目的が異なるへらであった。
【先行技術文献】
【特許文献】
【０００４】
【特許文献１】意匠登録第４４８５７０号公報
【特許文献２】意匠登録第５２９５９３号公報
【発明の概要】
【発明が解決しようとする課題】
【０００５】
そこで、本発明は、従来から存した計量スプーンの欠点を一掃した利便性のよいスプーンを提供することを目的とするものである。
【課題を解決するための手段】
【０００６】
本発明は、全体が透明性に成る器体の杓子部において、中央部分を本透明にし、それより周縁部に至る上側部分を非透明にし、前記本透明中央部分と非透明上側部分との境界が全体量の２分の１を示す仮想目盛線に成り、このように成る杓子部に一体に設けた柄部の一側縁部には長さ目盛を設け、基端部を前記杓子部の一側周面部の底面部近くから上面部まで一体に結合した透明な柄部を設けて成るものである。
【発明の効果】
【０００７】
人は、料理本を見ながら行う料理中に、本スプーンを使用して調味料等の分量を確実に視認して計ることができる。
【０００８】
特に従来正確に計量することができなかった少量の液体を、正確にかつ簡単に測ることができる。即ち、１５ｍｌ（大さじ），５ｍｌ（小さじ），１ｍｌ（ミニスプーン）の３種類の計量スプーンは、それぞれ透明部分と半透明部分とに分かれており、透明部分は全体量の２分の１を表わしている。したがって、１５ｍｌ（大さじ），５ｍｌ（小さじ），１ｍｌ（ミニスプーン）の３種類の計量スプーンは、７．５ｍｌ，２．５ｍｌ，０．５ｍｌの６種類の計測が容易である。
【０００９】
大さじ，小さじ，ミニスプーンを組み合わせて使用することによって計量できる分量を調整でき、さまざまなパターンで正確にすばやく計量することができる。
【００１０】
また、杓子部の内側は滑面となっており、汚れがつきにくいし、汚れが付いても容易に洗浄することができ衛生的である。
【００１１】
レシピに醤油大さじ１・１／２とあれば１５ｍｌ（大さじ），５ｍｌ（小さじ），１ｍｌ（ミニスプーン）の３種類の計量スプーンのうち、大さじ１杯と大さじスプーンの透明部分の上辺まで醤油を入れて計量すれば、正確に計量できる。また、塩分制限のある患者等が塩分の摂取量を厳密に計る必要があるときは、０．５ｍｌまで正確に計量できるから、非常に便利である。
【００１２】
また、本計量スプーンは、与えられる加重に対しても強靭で、柄部分を持って、バターなどの比較的硬い固体をすくおうとしたときも、柄部基端部と杓子部との関係部分は広くかる厚い面積を占めて結合しているから、折れにくい構造になっている。
【００１３】
対象が熱いものでも持ち手が熱くなることはなく、安全に使用できるようになる。
【００１４】
例えば、大根を１ｃｍの輪切りにする時など、手近にある計量スプーンの柄で厚さ、長さなど計ることができ、材料の大きさを揃えて料理の見栄えを良くする、または大きさを揃えて火のとおり具合を均一にするなど、便利に使用することができる。
【図面の簡単な説明】
【００１５】
【図１】全体の斜視図
【図２】全体の平面図
【図３】図２Ａ−Ａ線の断面図
【発明を実施するための形態】
【００１６】
いま本計量スプーンを用いて、料理本などを見て何かの料理を作ろうとするとき、人は杓子部の本透明に成る中央部分は全体の２分の１量であることを承知して使用し、またこの透明部から周縁部に至る上側部分は非透明になる部分全部に粉または液体を満たして計量した場合、全量（大さじの場合は１５ｍｌ，小さじ５ｍｌ，ミニスプーン１ｍｌ）であることを承知して使用することになる。
【００１７】
本発明の計量スプーンは、分量寸法の異なる複数種類を用意しておくし、別に発明している計量カップと一緒に使用することになる。
【実施例】
【００１８】
１は全体が透明性に成るポリカーボネート樹脂製の器体で、これは＋１３０℃及び−２０℃まで耐え得る器体である。
【００１９】
２は透明に成る杓子部で、この杓子部において、中央部分３は本透明に成り、この中央部分から周縁部に至る上側部分４にかけてはその外周面にシボ加工を施して非透明に成る。前記中央の本透明部分は全体の２分の１の量分となる。ここに２分の１の量分とは、約２分の１や略２分の１などをも含むものであるが、その技術的思想に変わりはない。
【００２０】
５は前記杓子部２における本透明の中央部分３と非透明の上側部分４との仮想境界線を示す。
【００２１】
６は前記器体１の一部として杓子部２と一体に成る透明性の柄部で、この柄部の一側縁部には長さ目盛７を設けている。
【００２２】
８は、前記杓子部２の一側周面部に対して一体に結合して成る前記柄部７の基端部で、この柄部の基端部は前記杓子部２の一側周面部の底面部近くから上面部までに一体に結合するから、両者の結合関係は広く厚い面積を占めている。
【符号の説明】
【００２３】
１                    器体
２                    杓子部
３                    中央部分
４                    上側部分
５                    仮想境界線
６                    柄部
７                    長さ目盛
８ 柄部の基端部
【図１】
0005558301.tif 000002
【図２】
0005558301.tif 000003
【図３】
0005558301.tif 000004
(57)【特許請求の範囲】
【請求項１】
フローラルフォーム表面を合成樹脂塗料膜で固め上面の一部から底面の方向に植え込み用穴と底面の一部に排水用穴を設けたフローラルフォーム植木鉢。
【発明の詳細な説明】
【技術分野】
【０００１】
本発明は植物の育成栽培を行う為にフローラルフォームに鉢機能を設けた植木鉢に関するものである。                  
【背景技術】
【０００２】
一般的には植物苗を定植し、育成栽培するためには用土の固定、保温、保湿、通気性が確保できる鉢と用土が使用されている。
【先行技術文献】
【特許文献】
【０００３】
【特許文献１】特開2005-192544
【非特許文献】
【０００４】
【非特許文献１】ネット販売  アミファ楽天市場店  販売カタログ
【発明の概要】
【発明が解決しようとする課題】
【０００５】
フローラルフォームで植物苗を定植し、育成栽培を行う場合、機械的強度が弱く破壊しやすい。
【０００６】
又、フローラルフォームは水分の吸収、保水は優れているが外部の環境の変化に左右され、植物の育成栽培に適さない。
【０００７】
さらにフローラルフォーム表面は水分がにじみ出ており、水苔が発生したり日光により変色がある。
【課題を解決するための手段】
【０００８】
フローラルフォーム表面を、合成樹脂塗料の膜で固め上面の一部から底面の方向に植え込み用穴と、底面の一部に排水用穴を設ける。
【０００９】
合成樹脂塗料膜はウレタンニス塗料と、さらにその表面がアクリル樹脂塗料であることを特徴とする。
【発明の効果】
【００１０】
フローラルフォーム表面を合成樹脂塗料膜で固めることにより機械的強度を高め、表面からの水分蒸発を防ぐ事により保温、保湿機能が向上する。又、フローラルフォーム上面に植え込み用穴、底面に排水用穴を設けることにより通気性が良くなり植物苗の育成栽培に効果がある。
【図面の簡単な説明】
【００１１】
【図１】植物苗を定植した本発明のフローラルフォーム植木鉢の斜視図
【図２】本発明のフローラルフォーム植木鉢の縦断面図
【発明を実施するための形態】
【００１２】
以下、本発明の実施の形態を図１〜図２に基づいて説明する。
【実施例】
【００１３】
図１は植物苗を定植したフローラルフォーム植木鉢の斜視図で、フローラルフォームに合成樹脂塗料膜で被われたフローラルフォーム植木鉢１で植栽された苗２と苗の根を固定させるための砂礫３で構成されている。図２は本発明のフローラルフォーム植木鉢の縦断面図であり、フローラルフォーム５の表面は合成樹脂塗料を塗布浸透させ、合成樹脂塗料膜４で被い固める。この膜によりフローラルフォーム内部は外部の温度、湿度から守られると共に機械的強度を高める事が出来る。膜の厚さは１〜２mmが良く、この厚さを決定するのは塗料の粘度が高いほど薄く、粘度が低いほど深く入り強度が増す。次に苗を植えこむための植え込み用穴６が上面から底面に向けて設けられ、内部壁面は塗料膜は無くこの植え込み用の穴に水を給水するとフローラルフォーム全体に浸透する。排水用穴７は植え込み用穴より給水された水が過剰の場合、排水される。又、植え込み用穴と排水用穴で通気が可能な構造となっている。
以上の様に塗料膜で被われている固い部分が植木鉢の機能を有し、フローラルフォーム部分が用土と同等の機能を有する。
【００１４】
十分な合成樹脂塗料膜を構成するためにはフローラルフォーム表面に厚い塗料膜と防水性機能の高いウレタンニス塗料を浸透させ、さらにその表面に紫外線に強いアクリル樹脂塗料を塗布する。
【００１５】
上記説明でフローラルフォーム植木鉢の形状は２面体から多面体、球体までの製作が可能であり、植え込み用穴は上面以外に側面上部に底面に対して45度以上の角度であれば、複数の植え込み用穴を設置することが可能である。
【産業上の利用可能性】
【００１６】
以上の様に合成樹脂塗料膜で被われた固い部分が鉢、フローラルフォーム部分が用土の機能を持ち、植物苗を定植、育成栽培を可能にしている。又、フローラルフォームは安価で加工性に優れており、植木鉢業界において利用できる。
【符号の説明】
【００１７】
１  フローラルフォーム植木鉢
２  苗
３  砂礫
４  合成樹脂塗料膜
５  フローラルフォーム
６  植え込み用穴
７  排水用穴
【図１】
0005466535.tif 000002
【図２】
0005466535.tif 000003
(57)【特許請求の範囲】
【請求項１】
鏡面上に、肉眼で可視可能な意匠文様と、魔鏡現象として平行光の反射光による投影像に意匠文様が出現する魔鏡文様との組み合せからなる魔鏡の製造方法であって、
金属製の鏡面にレーザー光線や電子ビーム等の高エネルギー密度熱源の描的走行照射により当該鏡面に歪を生じさせた後に磨き仕上げすることで前記魔鏡文様を形成する工程と、次に再度のレーザー光線や電子ビーム等の高エネルギー密度熱源の描的走行照射により肉眼で可視可能な意匠文様を形成する工程とを有することを特徴とする魔鏡の製造方法。
【発明の詳細な説明】
【技術分野】
【０００１】
本発明は平滑な鏡面でありながら、太陽光線のような平行光を当てると、反射光が明暗の模様として、スクリーンに投影される鏡面を有する魔鏡とその製造方法に関するものである。
【背景技術】
【０００２】
魔鏡に関する製造方法はメッキによる方法やマスキングを施しサンドブラストで微細な凹凸を得る方法、あるいは鏡面にレーザー光線や電子ビーム等の高エネルギー密度熱源を用いて高エネルギー線を照射する方法など知られている。
昨今では、光から、微細な屈折の差異に基づき、光のスペクトラムから、色彩を導く出す手法まで、考えられている。いずれも、微細な凹凸を得て魔鏡現象を得る方法として広く知られている。
【先行技術文献】
【特許文献】
【０００３】
【特許文献１】特開平１−３１３００９号公報
【特許文献２】特開２０００‐１０６９９４号公報
【特許文献３】特許３２７４１９６
【特許文献４】特開２００６‐２３５６７号公報
【発明の概要】
【発明が解決しようとする課題】
【０００４】
しかしながら、鏡面に魔鏡現象を得る方法はさまざま工夫されてきたが、鏡面における加工に関して、特段の工夫もされずにいた。そのため、鏡面だけで味気ない魔鏡となり、特に太陽光線などの平行光線が得られないときに、投影した反射光で鮮明な意匠文様を確認できず、面白さに欠けていた。
加えて、投影に用いる反射光の性質も、すぐに確認できないでいた。色彩を有する投影の際にその色具合がすぐに判明するような魔鏡が求められていた。
【課題を解決するための手段】
【０００５】
鏡面（１）上に肉眼で認められる可視可能な意匠文様（２）と肉眼で凹凸が認められない可視不能な微細な凹凸からなる意匠文様（３）を施した魔鏡面（４）を有する鏡面（１）を用いた魔鏡とした。
ここで、本発明に係る魔鏡の製造方法は、鏡面上に、肉眼で可視可能な意匠文様と、魔鏡現象として平行光の反射光による投影像に意匠文様が出現する魔鏡文様との組み合せからなる魔鏡の製造方法であって、
金属製の鏡面にレーザー光線や電子ビーム等の高エネルギー密度熱源の描的走行照射により当該鏡面に歪を生じさせた後に磨き仕上げすることで前記魔鏡文様を形成する工程と、次に再度のレーザー光線や電子ビーム等の高エネルギー密度熱源の描的走行照射により肉眼で可視可能な意匠文様を形成する工程とを有することを特徴とする。
【０００６】
魔鏡面（４）に施された意匠文様（魔鏡文様）（３）はレーザー光線や電子ビーム等の高エネルギー密度熱源の描的走行照射により魔鏡現象として投影する反射光の吸う役または拡散を起こさせるための歪を付与することにより、得る方法がある。
【０００７】
あるいは、以下にあげる前記意匠文様（３）を得る方法がある。プレス加工により得る方法や、マスキングを施し、サンドブラストもしくは研磨やエッチングを施して、得る方法や、古来の手法により、肉厚部と薄い部分との研磨時における研削の差異を利用する方法などがある。
【０００８】
鏡面（１）上に肉眼で認められる可視可能な意匠文様（２）の作成方法として、上記で魔鏡面を得る方法と同様に、レーザー光線や電子ビーム等の高エネルギー密度熱源の描的走行照射により魔鏡現象として投影する反射光の吸う役または拡散を起こさせるための歪を付与することにより、得る方法を用いると、位置決めやさまざまな工夫と同じ装置でもできるために便利である。
【０００９】
もちろん、通常のプリント加工や、サンドブラストによって、表面を可視できるように荒らしてもよい。
【００１０】
さらに、可視可能な意匠文様（２）が光を屈折により、スペクトラム分解せしめ、色彩を放つようなものであってもよい。製造方法としてのポイントは、基本的に微細なスリットで構成させることで、そのような色彩を放つことができる。つまり、光のスペクトラムの色彩を利用して、色づけするときれいな意匠文様の表現ができる。可視不能な意匠文様（３）もどうように色づけすることもバリエーションが広がり、美しい表現が可能となる。
【発明の効果】
【００１１】
本発明によれば、本発明を鏡として利用した場合に、可視できる意匠文様により、鏡のバリエーションや高級感を付与することが簡便にできる。そのため、鏡としてだけでも、美術品やアート作品として、鑑賞品として、利用しやすい。
【００１２】
加えて、肉眼で認められる可視可能な意匠文様（２）と肉眼で凹凸が認められない可視不能な微細な凹凸からなる意匠文様（３）との合成調和した投影が得られるため、思いもよらない意匠の組み合わせの投影を得ることができる。
【００１３】
魔鏡文様は従来の技術をそのまま生かせてもよい。
【００１４】
本発明の製造方法によれば、位置決めなどが、割合容易にできることと、同一設備で、可視可能な意匠文様（２）と可視不能な意匠文様（３）と製作可能なため、合理的である。また、レーザー光線や高エネルギー密度熱源により、微細な意匠文様まで、描写可能なため、精緻な魔鏡を得ることができる。
【００１５】
光のスペクラム現象が生じるように微細な凹凸加工をすると、さまざまな色彩が利用できて、カラフルできれいであ
る。可視可能な文様（３）で事前の光の性質を判別できる方法は便利である。
【発明を実施するための最良の形態】
【００１６】
本発明の鈴の具体的な形態について、図面に基づいて説明する。素材としては、厚さ1ｍｍ程度で、名刺サイズのステンレスを、レーザー加工することで、歪を生じさせる工程を行う。この魔鏡面の製造方法は、特許３２７４１９６の手法が参考になる。次に、この工程に磨き仕上げを行うことで、魔鏡として、魔鏡面（４）を得る。その魔鏡面（４）に、再度レーザー加工を施し、可視可能な意匠文様（２）を加えて製造する。
【００１７】
上記工程で本発明である、鏡面（１）上に肉眼で認められる可視可能な意匠文様（２）と肉眼で凹凸が認められない可視不能な微細な凹凸からなる意匠文様（３）を施した魔鏡面（４）を有する鏡面（１）を用いた魔鏡を得ることができる。
【００１８】
あらかじめ、可視可能な意匠文様（２）を光により発色するような、いわゆるホログラムのような、可視可能な意匠文様にしておくと、きれいである。また、鏡に照射されている光の成分がスペクトラムの出現具合で簡便に直視するだけで、判断できるので、便利である。
【００１９】
もちろん、特開２００６‐２３５６７のように、投影する投影像にさまざまなスペクトラムによる発色を得る魔鏡面を有することで、直視ともども、色とりどりの魔鏡の投影を楽しむことができる。
【図面の簡単な説明】
【００２０】
【図１】本発明の実施形態を示す説明図である。
【符号の説明】
【００２１】
１  鏡面
２  可視可能な意匠文様
３  可視不能な意匠文様
４  魔鏡面
【図１】
0005621166.tif 000002
(57)【特許請求の範囲】
【請求項１】
筒状で先端にブレードの開閉窓を備えたアウターシャフトと、
前記アウターシャフトに挿入されたインナーシャフトと、
先端部が螺旋階段状になっているウェッジシャフトと、
本機中心軸と平行な偏心軸を有し遠心力と摩擦力とによって前記アウターシャフト先端の窓部より出没するブレードと、
セレクトハンドルと、を含み、
前記セレクトハンドルは連携している前記ウェッジシャフトを軸方向移動させる機能を有し、
前記セレクトハンドルの操作によって連携している前記ウェッジシャフトが前記アウターシャフト内を上下に摺動することで、前記ブレード後尾と前記螺旋階段状の先端部との接触面が段階的に変化し、その変化に対応して前記ブレードの出没が段階的に開放されることを特徴とするリバースドリル。
【発明の詳細な説明】
【技術分野】
【０００１】
本発明は、外径サイズで下穴が開いた状態から本機を刃を閉じた状態で回転せずに下穴を貫通させた後に正回転させながら手前に引くことで後方に５段階の大径穿孔を形成するためのリバースドリルである。
【背景技術】
【０００２】
従来から、様々な切削工具が存在する。中でも、骨穿孔用のドリルについては、低侵襲であること、体内の限られた空間で使用することなどの制約条件があるため、特別な機能を持たせる必要がある場合が多い。
【０００３】
例えば、特許文献１には、関節鏡視下の手術で、切削工具を回転させながら手前に引くことで、関節内部で大径の穿孔を形成する方法及びそのための切削工具が開示されている。
【先行技術文献】
【特許文献】
【０００４】
【特許文献１】特願２０１１−１７０６５３
【発明の概要】
【発明が解決しようとする課題】
【０００５】
しかしながら、上記従来技術では、一本の工具で一定の径の大きさの穿孔を作成するのみであり、穿孔の大きさを変更するには、その都度対応した工具を選ばなければならなかった。
【０００６】
本発明の目的は、上述の課題を解決する技術を提供することにある。
【課題を解決するための手段】
【０００７】
上記目的を達成するため、本発明（切削工具）に係る主な構成部品は、  
１、アウターシャフト  ２、インナーシャフト  ３、ブレード（刃）  ４、ウェッジシャフト(先端が螺旋階段状で扇形の断面を持つストッパー） ５、セレクトハンドル  ６、オーリング  の６部品からなる。
１、前記アウターシャフトは、外径に目盛を有し、前記ブレードの位置を確認し、前記インナーシャフトと前記ブレード及び前記ウエッジシャフトを保護する。
２、前記インナーシャフトは、本機の中心軸（ボデイ）であり前記ブレードを偏心軸を持って格納し前記ウェッジシャフトの摺動溝を有し後部近くにセレクト装置を装着し最後部の４０ミリほどをハンドピースで掴んで回転させる。
３、前記ブレードは、刃の先端部は収納段階で本機の外径より僅かに（０．１ミリ）突出しており、刃が偏心軸を有することによって正回転した場合に摩擦力及び遠心力が発生してセレクトされた位置まで開く。
４、前記ウェッジシャフトは、先端部の螺旋状楔を有し、後部の前記セレクトハンドルと連携。
５、前記セレクトハンドルは、Ａポジショニングボス、Ｂメジャー、Ｃセレクトノブ、Ｄトルクノブの４部品からなり、サイズを選択する。
６、オーリングは、前記ブレードの位置（穿孔の深さ）の確認。
前記インナーシャフト先端部に中心軸に対して偏心軸を持つブレード格納スペースを設け、前記ブレードの後尾に螺旋階段状の前記ウェッジシャフト（ストッパー）を配置し接触面の違いによって前記ブレードの５段階開閉位置を決定して正回転させて前記ブレード（刃）を遠心力及び摩擦力を利用して開き本機を手前に引くことで後方に大径穿孔を確保することと、穿孔する径の幅を前記セレクトハンドルの操作により選択できることを特徴とする。
【発明の効果】
【０００８】
本発明によれば、この工具一本で複数の径の穿孔形成を選択することができる。
【図面の簡単な説明】
【０００９】
【図１】本発明の全体構成を示す図である。
【図２】本発明の操作部構成を示す図である。
【図３】本発明の先端部構成（刃が閉じた状態）を示す図である。
【図４】本発明の先端部の構成（刃が段階的に開いている状態）を示す図である。
【図５】本発明の先端部の構成（刃の開きが最大の状態）を示す図である。
【図６】本発明のウェッジシャフト先端部、螺旋階段状の楔の形状を示す図である。
【符号の説明】
【００１０】
１  アウターシャフト
２  インナーシャフト
３  ブレード
４  ウェッジシャフト
５  セレクトハンドル
６  オーリング
A  ポジショニングボス
B  セレクトノブ
C  メジャー
D  トルクノブ
【要約】
【課題】外径以上の穴を後方に穿孔でき、且つ手元操作によって穿孔径を選択可能なリバースドリルを提供する。
【解決手段】インナーシャフト２の先端部に、中心軸に対して平行な偏心軸を持つブレード３用回転軸を構築し、本機全体が正回転することにより、ブレード３がアウターシャフト１の外径より僅かに突出した先端部の引っ掛かりによる摩擦と遠心力とによって開くものとする。インナーシャフト２に装着された扇形の断面を持つウェッジシャフト４の先端部は螺旋階段状の楔となっておりブレード３後部に段階的に挿入する目的であり、セレクトハンドル５の回転螺子送りをウェッジシャフト４の上下運動にシフトし、ウェッジシャフト４先端部とブレード３の接触面が変化することで、ブレード３の開閉幅を選択可能とすることを特徴とする。
【選択図】図１【図１】
0005621079.tif 000002
【図２】
0005621079.tif 000003
【図３】
0005621079.tif 000004
【図４】
0005621079.tif 000005
【図５】
0005621079.tif 000006
【図６】
0005621079.tif 000007
(57)【特許請求の範囲】
【請求項１】
アクリル系樹脂発泡体のようなクッション性のある素材でできた楕円形等の筒状の幅１０ミリ、高さ５ミリのドーナツ状パッドの上から屋根のように覆いかぶさる形で厚さ１ミリの塩化ビニールシートでフタをしてドーム状を形成し、ドーナツ状パッドの内側の周壁には吸水性に優れた吸水シートが貼ってあり、皮膚に接触するドーナツ状パッド下部面には、医療用の接着材が付いていることを特徴とするドーム型創傷保護具。
【発明の詳細な説明】
【技術分野】
【０００１】  本発明は、創傷部をドーム状に覆うことで、外部からの接触や衣類等による圧迫から防いで保護し、痛みなしに、且つ薬剤を使わずに湿潤することで早く傷が治るような構造のドーム型創傷保護具に関するものである。
【背景技術】
【０００２】  従来からの救急絆創膏「バンドエイド（登録商標）」やガーゼがあり、最新のものでは、ハイドロコロイド素材のパッドが傷口から出てくる体液を吸収して傷口を保護し、水やばい菌を防ぐ「キズパワーパッド（登録商標）」のような商品がある。
【発明の概要】
【発明が解決しようとする課題】
【０００３】  従来の救急絆創膏やガーゼは、創傷部の上に直接接触して貼るものであり、汚れて交換する際にまだ治りきらない創傷部に貼りつき、貼り替えようすると傷の接触表面が無理に引き剥がされたりして、剥がすのに痛みを伴い苦労する。少し治りかけてきても、無理に剥がすことで、治りの状態が後退したり、それを繰り返すことで、なかなか治らず、治癒に時間がかかってしまう。最新の商品で創傷部に付きにくいとされるものでも、全く痛みを伴わずに剥がせるものはない。また、従来のものは貼った後、ばい菌等からは保護されるが、ひざ等にできた創傷などで、創傷部に救急絆創膏やガーゼの上から圧迫が加わった場合、かなりの痛みが伴う。創傷部を衣類などの圧迫から保護するようなものは殆どない。
本発明は、創傷保護具における上記のような問題点を解決したものである。
【課題を解決するための手段】
【０００４】  アクリル系樹脂発泡体のようなクッション性のある素材でできた楕円形等の筒状の幅１０ミリ前後、高さ５ミリ程のドーナツ状パッドの上から屋根のように覆いかぶさる形で厚さ１ミリ程の塩化ビニールシートのような素材のものでフタをしてドーム状を形成し、ドーナツ状パッドの内側の周壁には吸水性に優れた吸水シートが貼ってあり、皮膚に接触するドーナツ状パッド下部面には、医療用の接着材が付いている。
以上を特徴とするドーム型創傷保護具である。
【発明の効果】
【０００５】  従来の救急絆創膏やガーゼなどの創傷保護具は、創傷部に密着させて使用するものなので、交換時には血液、体液、膿などの付着のため、剥がすのが困難で、かなりの痛みを伴う。また、貼った後も上から衣服などの圧迫等があると、気を付けていても痛みを伴うことが多々ある。本発明は、ドーナツ状に屋根を付けたようなドーム型のパッドを創傷部に接触しない様にすっぽり覆い装着するので、傷の接触表面が無理やりに引き剥がされることもなく、交換する際にも痛みを感じずに交換できる。無理に剥がして創傷部の治りを逆もどりさせるような心配もないし、外部からの圧迫等も完全に防護できるので、無駄な痛みを感じないですむというメリットがある。
また、傷ができた直後は、血液、体液、膿などが出てくるが、ドーム内部の吸収シートが漏れを防ぐので、染み出た血液等が、ズボンなどの衣類に付着する心配もない。
本発明は、以上のように、痛みを最少減にする効果が期待できる。さらにドームの中は密閉し、湿気を保つ構造になっており、従来の乾燥させて治すという今まで一般的だった方法とは異なる湿潤療法の考え方に基づいており、痛みを最小限に、且つ薬剤を使わずに早い治癒という理想的な効果が期待できる。
【図面の簡単な説明】
【０００６】
【図１】本発明の立体分解図
【図２】ドーナツパッドの裏側を表示した斜視図
【図３】本発明の使用例を示す斜視図
【発明を実施するための形態】
【０００７】  以下、本発明の実施の形態を説明する。
（イ）ドーム型創傷保護具のドーナツ状パッド（１）は、アクリル系樹脂発泡体のような      クッション性のある素材でできており、形状は幅１０ｍｍ程、高さ５ｍｍ程の楕円      形で筒状になっている。楕円であるので、身体のどの部位にも装着しやすい。
また、柔軟であるため、皮膚との密着度がよく、瞬時に密閉することができる構造      となっており、湿潤環境に最適である。外部の圧迫が加わっても、多少の衝撃であ      れば吸収でき、創傷部をガードする。
（ロ）フタ部（３）は、厚さ１ｍｍ程の塩化ビニールシートのような素材でできており、      ドーナツ状パッド（１）の表側の上部面（４）とぴったり密着している。ソフトな      素材であるが強度もあり、外部からの力を跳ね返し、創傷部に触れるのを防ぐ。
（ハ）ドーナツ状パッド（１）の裏側の下部面（５）には、医療用接着剤が付いており、      接着シール（６）を剥がして皮膚に装着できる構造となっている。
（ニ）ドーナツ状パッド（１）の内側周壁には、血液や体液、膿などの液体を吸収するた      めの吸水シート（２）が貼ってある。
本発明は以上のような構造である。
本発明を使用する時は、創傷部を流水で洗いながし、消毒液等はつけずに、ドーナツ状パッド（１）の裏側の下部面（５）にある接着面の接着シール（６）を剥がして、創傷部を覆うように、創傷部にかからないように注意して装着し、治癒を待つ。創傷部の治癒状態に応じて、数回、貼り替える。
【符号の説明】
【０００８】１  ドーナツ状パッド、２  吸水シート、３  フタ部、４  上部面、５  下部面、
６  接着シール
【図１】
0005620435.tif 000002
【図２】
0005620435.tif 000003
【図３】
0005620435.tif 000004
(57)【特許請求の範囲】
【請求項１】
ハンドルを備える急硬複数材料スプレーガン用の流体部アッセンブリであって、
凹部と複数の切り込み構造とを有する前記ハンドル、
複数のタブを有する流体ヘッド、及び
前記流体ヘッドに取り外し可能に固定することができ、固定タブを有するホースマニホールド
を有し、前記タブは、前記ハンドルの切り込み構造と係合し且つ突出しており、回転されると前記ハンドルの切り込み構造の後ろに保持され、
前記ホースマニホールドが前記流体ヘッドに固定されると、前記固定タブは前記ハンドルの前記凹部と係合することによって、前記流体ヘッドが前記ハンドルに対して回転することを防止する流体部アッセンブリ。
【請求項２】
前記ホースマニホールドは固定具によって前記流体ヘッドに固定されている請求項１に記載の急硬複数材料スプレーガン用の流体部アッセンブリ。
【発明の詳細な説明】
【技術分野】
【０００１】
本出願は、２００８年５月１５日に出願された米国特許出願第６１／０５３，４３０号の利益を主張し、当該出願の内容は参照によって本明細書に援用される。
【背景技術】
【０００２】
ポリウレタン及びポリウレアなどの急硬剤を塗布するためのスプレーガンは周知である。これらの材料は非常に早く硬化するため、ガン又は塗布装置は洗浄するために最低限の道具によって容易に分解可能であることが重要である。
【先行技術文献】
【特許文献】
【０００３】
【特許文献１】欧州特許第０９９７２００号明細書
【発明の概要】
【０００４】
本発明の目的は、高圧の流体部を低圧の空気部（ハンドル）に取り付ける単純な方法を開発することである。流体部は、流体ヘッドを１／８周回転させることによって容易に空気部に取り付け及び取り外しすることができる。流体ヘッドは、ハンドル内の４つの切り込み構造と係合し且つ突出している４つのタブを備える。空気部（ハンドル）の機械加工された構造は、回転を１／８周に限定することによって取り付け及び取り外しの間に流体ヘッドが過剰に回転することを防止する。完全に組立てられると、ホースマニホールドの固定タブ構造は、ハンドルの凹状構造と係合することによって、流体部が回転することを阻害する。この構成は、より少ない部品を使用し、容易に組み立て及び取り外しできる。
【０００５】
本発明のこれら及びその他の対象及び利点は、添付の図面と組み合わされた以下の説明から十分に明らかになり、添付の図面においては、同様の参照番号はいくつかの図において同一又は類似の部品を指す。
【図面の簡単な説明】
【０００６】
【図１】図１は空気部に対する流体部の分解図である。
【図２】図２は、空気部の一部に対する組み立ての第１段階における流体ヘッドを示す。
【図３】図３は、空気部の一部に対する組み立ての次の段階における流体ヘッドを示す。
【図４】図４は、ホースマニホールドと共に空気部に取り付けられた流体ヘッドを示す。
【発明を実施するための形態】
【０００７】
本発明の流体部又は流体ヘッド１０は、流体ヘッドを１／８周回転することによって、容易に空気部１２に取り付けられる又は取り外しできる。流体ヘッド１０は、ハンドル１２内の４つの切り込み構造１６と係合し且つ突出している４つのタブ１４を備える（図１参照）。図２は空気部１２の前面１２ａの対応する開口１６に挿入されたタブ１４を図示しており、一方、図３はタブ１４がへり１８の後ろに保持されるよう回転された空気部１０を図示している。空気部（ハンドル）１２の機械加工された構造は、回転を１／８周に限定した取り付け又は取り外しの際に、流体ヘッド１０が過剰に回転することを防止する。
【０００８】
組み立てを終えるために、ホースマニホールド２４の固定タブ構造２０はハンドル１２の凹状構造２２に係合することによって、流体部１０が回転することを阻止する（図４参照）。ホースマニホールド２４はボルト又はその他の周知の固定具２６によって流体部１２に固定される。これが締められると、マニホールド２４、流体部１０及びハンドル１２は全て相互に固定される。もちろん、取り外しは取り付けの反対である。ボルト２６が取り外されることにより、ホースマニホールドは流体部１０から取り外すことが可能になる。これは、次に流体部１０を１／８周回転可能にし、ハンドルから分離可能にする。
【０００９】
以下のクレームによって規定される発明の精神及び範囲から逸脱することなく、様々な変更及び改良が迅速装着流体ヘッドに施すことができることが理解される。
【図１】
0005484450.tif 000002
【図２】
0005484450.tif 000003
【図３】
0005484450.tif 000004
【図４】
0005484450.tif 000005
(57)【特許請求の範囲】
【請求項１】
フレームと、発泡体製パッドを支持するパネルとを有する車両用シートのシートクッションにおいて、
前記パネルは乗員の尻部を支持する尻部支持部と、この尻部支持部の前方に一体に設けて左右を前記フレームの左右に乗員の大腿部を支持する大腿部支持部と、
前記尻部支持部の後方に延設して左右を左右のフレームに固設した後部連結部とから構成し、
前記尻部支持部はその前方を左右のフレーム間に溶接すると共にビードによって形成した可撓部を設けて、尻部支持部に可撓性を付与してなることを特徴とする車両用シートのシートクッション。
【発明の詳細な説明】
【技術分野】
【０００１】
本発明は自動車用シートなどの車両用シートのシートクッションに関するものである。
【背景技術】
【０００２】
自動車用シートのシートクッションには、枠状のフレームと、発泡体製パッドを支持するパネルとを有するものがある。
【０００３】
以上のパネルはその周囲をフレームに溶接したり、或いは、例えば特開２００７-９９１９５号公報に開示されているように、パネルをフレームにバネで吊り下げたものがある。
また、パネル全体をバネ性を有する部材で形成してたもの（例えば、特開２００５-２３７５１９号公報）…など種々のものが提案されている。
【先行技術文献】
【特許文献】
【０００４】
【特許文献１】特開２００７−９９１９５号公報
【特許文献２】特開２００５−２３７５１９号公報
【発明の概要】
【発明が解決しようとする課題】
【０００５】
以上のパネルをフレームに溶接したものはクッション性が不足するため、肉厚が厚いウレタンフォームなどのパッドを使用している。そのため、シートクッションの厚さが厚くなり車内のスペースが制約される。
【０００６】
一方、パネルをフレームにバネで吊り下げたものは、構造が複雑で組立工数が多くなる。
【０００７】
また、パネル全体をバネ性を有する部材で形成したものは、例えば、乗員の大腿部を支持する前部など、クッション性が要求されない部分もクッション性を有し、着座性が損なわれる。
【０００８】
そこで、本発明は以上の従来品の不具合を除去することを目的とする。
【課題を解決するための手段】
【０００９】
以上の目的を達成するための本発明に係る車両用シートのシートクッションはフレームと、発泡体製パッドを支持するパネルとを有する車両用シートのシートクッションにおいて、前記パネルは乗員の尻部を支持する尻部支持部と、この尻部支持部の前方に一体に設けて左右を前記フレームの左右に乗員の大腿部を支持する大腿部支持部と、前記尻部支持部の後方に延設して左右を左右のフレームに固設した後部連結部とから構成し、前記尻部支持部はその前方を左右のフレーム間に溶接すると共にビードによって形成した可撓部を設けて、尻部支持部に可撓性を付与してなることを特徴とする構成である。
【００１０】
以上の尻部支持部の可撓部は、断面略Ｕ字状に形成した平面側コ字状の凹溝からなるビードで、このビードに囲まれた部分が尻部支持部の他の部分に対してより可撓するように構成し、そのビードに囲まれた部分に、凸条からなる補強ビードを設けて補強するのが好ましい。
【００１１】
従って、大腿部支持部は可撓性を有しないが、尻部支持部の全体、特に前記ビードに囲まれた部分は可撓性を有する。
【発明の効果】
【００１２】
本発明によれば、ばね部材を用いることなく、クッション性が要求されるパネルの尻部支持部のみが可撓性を有するので、パネル上に載置される発泡体製パッドの厚みを薄くでき、前記従来品の不具合を除去できる。
【図面の簡単な説明】
【００１３】
【図１】本発明に係るシートクッションに使用するフレーム付パネルの平面図である。
【図２】図１のＩＩ−ＩＩ線断面図である。
【図３】図１のＩＩＩ−ＩＩＩ線断面図である。
【図４】図１の斜視図である。
【発明を実施するための形態】
【００１４】
以下、本発明に係るシートクッションの好適な一実施例を図面に基づいて説明する。図中１はパネルで、板厚が例えば0.8ミリ程度の金属板をプレス成形して、大腿部支持部
１１、後部支持部１０、後部連結部１２が一体に形成されている。
【００１５】
以上のパネル１は、大腿部支持部１１、後部支持部１２が、フレーム２の左右に溶接され、尻部支持部１０はその左右の端縁１００、１００が湾曲状に切欠されている。
【００１６】
従って、尻部支持部１０の左右幅は、左右のフレーム２、２間の幅より狭く形成されているため、フレーム２、２に対して独立状で、フレーム２、２には固定せず、可撓性を有するように形成され、その前方である大腿部支持部１１をフレーム２、２に溶接している。
【００１７】
なお、フレーム２、２、２´は、後部開放状のコ字状に形成され、左右のフレーム２、２の後端側に、前記後部連結部１２の左右端部が溶接されている。この後部連結部１２は尻部支持部１０に対して上方に湾曲状に立ち上げた形状に形成されている。
【００１８】
尻部支持部１０は図示するように、例えば５ミリ程度の深さを有する断面Ｕ字状の凹溝からなるビード１０Ａが、平面略コ字状に設けて、このビード１０Ａに囲まれた部分を可撓部イとし、この可撓部イは尻部支持部１０の他の部分に対して、可撓性に優れている。
【００１９】
そして、ビード１０Ａに囲まれた部分には、突条の補強ビード１０Ｂ、１０Ｂを設けて補強している。図中、１０Ｃは、前記ビード１０Ａに囲まれた部分の可撓性を向上させるために開孔した通孔を示す。
【００２０】
大腿部支持部１１は図３、４に示すように、左右方向の中央部がフレーム２´方向に向けて高く傾斜するように、また、左右が中央部に対して高くなるように湾曲状に形成して、左、右をフレーム２、２上に溶接している。
【００２１】
なお、図示するものは、以上の左、右のフレーム２、２に、リフター用の平行リンク４０、４０を設け、この平行リンク４０、４０をスライドレールのアッパーレール４１に連結している。図中４２はスライドレールのロアレール、５０、５０はフレーム２、２の後端に取付けるシートバックのバックフレームを示す。
【００２２】
以上の大腿部支持部１１、尻部支持部１０、後部連結部１２上には発泡体製パッド３が載置され、このパッド３は表皮材に被覆されてシートクッションを形成する。
【００２３】
このシートクッションに乗員が着座すると、パネル１の尻部支持部１０全体が可撓性を有し、更に、尻部支持部１０の中央に位置する可撓部イの可撓性が良いため、肉厚の薄い発泡体製パッド３を使用できる。
【００２４】
また、パネル２の大腿部支持部１１はフレーム２、２に溶接されているため、クッション性がなく、着座者の大腿部を確実に支持できる。
【００２５】
従って、パネル１のクッション性が要求される部分である尻部支持部１０のみがクッション性を有するので、パッド３全体の厚みを薄くでき、シートクッションの薄形化を図ることができるし、座り心地が良いシートクッションを提供できる。
【符号の説明】
【００２６】
１…パネル、１０…尻部支持部、１１…大腿部支持部、１２…後部連結部、イ…可撓部。
【図１】
0005484965.tif 000002
【図２】
0005484965.tif 000003
【図３】
0005484965.tif 000004
【図４】
0005484965.tif 000005
(57)【特許請求の範囲】
【請求項１】
棚に固定される貴重品保管箱と、該貴重品保管箱が嵌り込む穴を底部にあけた脱衣籠とにより構成されることを特徴とする貴重品保管装置。
【請求項２】
貴重品保管箱の上面と脱衣籠の底部がほぼ一致していることを特徴とする請求項１に記載の貴重品保管装置。
【請求項３】
貴重品保管箱の蓋を透明にして、内部を視認可能にしたことを特徴とする請求項１に記載の貴重品保管装置。
【請求項４】
貴重品保管箱の蓋を施錠する電磁錠を設けて、この電磁錠をテンキーで入力された暗証番号や指紋認証装置で入力された指紋データにより施錠・解錠を制御することを特徴とする請求項１に記載の貴重品保管装置。
【発明の詳細な説明】
【技術分野】
【０００１】
この発明は、ゴルフ場、温泉などの浴場で使用する貴重品保管装置に関し、衣服などを入れる脱衣籠と、身の回りの貴重品、時計、小物、ルームキー、ロッカーキーなど（以下、「貴重品」という）を保管する貴重品保管箱とを組み合わせて使用するものである。
【背景技術】
【０００２】
入浴の際に脱いだ浴衣、肌着、衣服などを保管する脱衣籠に、時計、指輪などの身の回りの貴重品を保管する保管箱を設けたものが下記特許文献において開示されている。
【先行技術文献】
【特許文献】
【０００３】
【特許文献１】特開２０１０−２９６３８号公報
【発明の開示】
【発明が解決しようとする課題】
【０００４】
このような従来の貴重品保管箱を設けた脱衣籠においては、脱衣籠ごと貴重品保管箱を持ち去られることがあった。
【０００５】
また、貴重品保管箱は、金属または合成樹脂で作られた丈夫なものであるのに対し、普及している脱衣籠は、籐を編んだもので、破損し易く、比較的短寿命のものである。
【０００６】
そこで、脱衣籠が破損すると、貴重品保管箱を取り外し、新しい脱衣籠に取り付けて再使用していた。
【０００７】
この発明の貴重品保管装置は、このような従来の貴重品保管箱付き脱衣籠が有する課題を解決するために考えられたものである。
【課題を解決するための手段】
【０００８】
この発明の貴重品保管装置は、棚に固定された貴重品保管箱と、この貴重品保管箱が嵌り込む穴を底部にあけた脱衣籠とにより構成される。そして、貴重品保管箱の上面との脱衣籠の底部をほぼ一致させている。
【発明の効果】
【０００９】
この発明の貴重品保管装置によると、脱衣所における盗難の危険を減らすことができ、利用者も安心して入浴設備を利用でき、ひいては集客増をも見込むことができる。
【００１０】
ゴルフ場に限らず、銭湯、大浴場のあるホテル、スポーツクラブのシャワールーム、病院において診療・治療中に衣服を保管する籠などにも適用することができる。
【００１１】
脱衣籠と貴重品保管箱とが別体であるから、脱衣籠が破損しても代わりの脱衣籠を組合せれば、貴重品保管箱を長く使用することができる。
【図面の簡単な説明】
【００１２】
【図１】この発明の貴重品保管装置で使用する脱衣籠を示す平面図（ａ）および縦断面図（ｂ）、
【図２】この発明の貴重品保管装置で使用する貴重品保管箱を固定した棚を示す正面図、
【図３】この発明の貴重品保管装置を示す縦断面図である。
【発明を実施するための形態】
【００１３】
この発明の貴重品保管装置で使用する脱衣籠１は、図１の平面図（ａ）および図１（ａ）の線ｂ−ｂに沿って切断した縦断面図（ｂ）に示すように、籐を編んで作った籠であって、底部12に貴重品保管箱２が嵌り込む穴11があけられており、脱いだ衣服を入れるものである。
【００１４】
この脱衣籠１の底部12は、貴重品保管箱２の上面とほぼ一致するように底上げしておけば、貴重品保管箱２が底部12より突出することなく、使用時に違和感を感じることはないのである。
【００１５】
この脱衣籠１としては、従来の籐籠のほかに合成樹脂を射出成型した籠などの各種の籠を適用することができる。
【００１６】
この発明の貴重品保管装置で使用する貴重品保管箱２は、扁平な形状の金属または合成樹脂で作った箱で、図２に示すように、棚３に固定されている。
【００１７】
貴重品保管箱２は、箱部と開閉式の蓋とにより構成されており、この蓋に錠を取り付けたものである。この錠は簡易なものでもよく、鍵は、入浴中に無くさないように手首を通す紐または輪ゴムを取り付けておくと便利である。
【００１８】
貴重品保管箱２は、棚３に固定されるものであって電源に接続可能であるから、箱部に電磁錠を設け、暗証番号を入力するテンキー、指紋認証装置などの電源を要するセキュリティ装置を設けることができる。
【００１９】
この貴重品保管箱２の中に何も入れないで暗証番号を入力したり、指紋認証装置を動作させて施錠して放置されると、その貴重品保管箱２は使用不能になる。そこで、このような悪戯を防ぐために、保管箱２の中に硬貨を保時するポケットおよび硬貨の存在により作動するマイクロスイッチを設け、このポケットに硬貨が保持されてマイクロスイッチが動作している場合に限り、施錠操作を有効ならしめておくことにより悪戯を防止することができる。
【００２０】
このように構成された貴重品保管装置を入浴のために使用する際には、まず、貴重品保管箱２の蓋を開いて貴重品を入れたのち蓋を閉じて施錠し、その上に脱いだ浴衣や衣服を脱衣籠１に入れて入浴する。
【００２１】
このとき、棚の高い位置の脱衣籠１を使用する場合には、脱衣籠１が邪魔になって貴重品保管箱２を覗き難ければ、脱衣籠１を取り外して貴重品保管箱２を露出させたから、貴重品を出し入れすればよいのである。
【００２２】
入浴が終わって、脱衣籠１に入れた浴衣や衣服を着用すると、脱衣籠１の底部に存在する貴重品保管箱２が現れる。貴重品保管箱２の蓋を透明な板で構成しておくと、入れた小物やロッカーキーなどの貴重品を視認できるので、取り忘れを防止することができる。
【符号の説明】
【００２３】
１  脱衣籠
11  穴
12  底部
２  貴重品保管箱
３  棚
【図１】
0005484119.tif 000002
【図２】
0005484119.tif 000003
【図３】
0005484119.tif 000004